(57)【特許請求の範囲】
【請求項１】
座面の一部を他の部位よりも肉厚な肉厚部とすることにより、着座したときの姿勢を矯正する座布団において、
前記座面をその中央を中心に右大腿部、左大腿部、右臀部、左臀部にそれぞれ当接する４つの部位に区画し、前記４つの部位のうちの１つの部位を第１の肉厚部とするとともに、前記４つの部位のうち前記第１の肉厚部と隣接する部位にはこの部位を第２の肉厚部とする調整部材が脱着可能に設けられてなり、
前記座面は、弾性部材からなる一対のクッション部材と、これら一対のクッション部材の間に介装されて前記第１の肉厚部を形成する固定部材とを積層することにより形成され、
前記調整部材は、前記一対のクッション部材の間における前記固定部材と隣接する部位に脱着可能に介装される
ことを特徴とする座布団。
【請求項２】
請求項１に記載の座布団において、
前記一対のクッション部材は、互いにその厚さが異なる
ことを特徴とする座布団。
【請求項３】
請求項１又は請求項２に記載の座布団において、
前記一対のクッション部材は、互いに弾性係数の異なる部材によって形成されてなる
ことを特徴とする座布団。
【請求項４】
座面の一部を他の部位よりも肉厚な肉厚部とすることにより、着座したときの姿勢を矯正する座布団において、
前記座面をその中央を中心に右大腿部、左大腿部、右臀部、左臀部にそれぞれ当接する４つの部位に区画し、前記４つの部位のうちの１つの部位を第１の肉厚部とするとともに、前記４つの部位のうち前記第１の肉厚部と隣接する部位にはこの部位を第２の肉厚部とする調整部材が脱着可能に設けられてなり、
袋状のカバーを更に備え、同カバーに入れた状態で使用されるとともに、
前記カバーには、前記第１の肉厚部に対応する位置及び前記第２の肉厚部に対応する位置のうち少なくとも一方に目印が設けられている
ことを特徴とする座布団。
【請求項５】
請求項４に記載の座布団において、
前記座面は、弾性部材からなるクッション部材によって形成されてなり、
前記第１の肉厚部は、同クッション部材の表面又は裏面の一方に突出するように形成されてなるとともに、
前記調整部材は、前記座面の表面又は裏面のうち前記第１の肉厚部が突出している面に脱着可能に設けられてなる
ことを特徴とする座布団。
【請求項６】
袋状のカバーを更に備え、同カバーに入れた状態で使用されるとともに、
前記カバーは、前記座面の表面と裏面とでその意匠が異なる
請求項２又は請求項３に記載の座布団。
【請求項７】
請求項６に記載の座布団において、
前記カバーには、前記第１の肉厚部に対応する位置及び前記第２の肉厚部に対応する位置のうち少なくとも一方に目印が設けられている
ことを特徴とする座布団。
【発明の詳細な説明】
【技術分野】
【０００１】
この発明は、着座したときの姿勢を矯正する座布団に関する。
【背景技術】
【０００２】
人の体は、利き腕、利き足の左右の違いや、長時間同じ姿勢での事務作業等、生活習慣に起因して前後左右の筋肉の緊張量に差が生じている。これによって筋肉の緊張量が多い方に骨格が引っ張られるようになり、骨格が前後左右に歪むことがある。こうした骨格の歪みが生じると姿勢が悪くなり、その結果、重力によって体の各部に作用する荷重が一方向に偏って作用し、肩こりや、頭痛、視力の低下等が生じることが知られている。
【０００３】
こうした骨格の歪みによるバランスの崩れが生じている場合には椅子等に着座しているときにも上体の荷重が偏って腰に作用するため、座っていても疲れやすくなったり、姿勢が不安定になったりする。また、こうした状態が継続していると、ひいては腰痛等を引き起こすおそれもある。
【０００４】
特許文献１には、座面の半分を肉厚部とし、他の部位とこの肉厚部との厚みの違いによって着座しているときの姿勢を矯正する座布団が記載されている。図８に示されるように、この座布団１にあっては、座面２の図８における右側部分が左側部分よりも肉厚な肉厚部３とされている。こうした座布団１によれば、図９に示されるように、着座した状態において肉厚部３と当接する部分が他の部分よりも持ち上げられた状態に保持されるようになる。これにより、着座しているときの姿勢を矯正し、骨格の歪みを矯正することができる。
【特許文献１】特開２０００‐２３７２２１号公報
【発明の開示】
【発明が解決しようとする課題】
【０００５】
ところで、上述のような生活習慣は人によってそれぞれ異なるため、筋肉の緊張量の差によって生じる骨格の歪みの方向や、その歪みの度合、またこの歪みに起因するバランスの崩れ方は、人それぞれ異なったものとなる。そのため、上記のような座布団１により、着座しているときの姿勢を矯正するためには、人それぞれ異なる骨格の歪みやバランスの崩れ方に応じて姿勢を矯正する方向やその度合を調整することが望ましい。
【０００６】
しかしながら、人それぞれ異なる骨格の歪みやバランスの崩れ方に応じて姿勢を矯正する方向やその度合を調整した座布団をそれぞれ製造する場合にあっては、そのコストの増大等が避けられないものとなる。
【０００７】
この発明は上記実情に鑑みてなされたものであり、その目的は人それぞれ異なる骨格の歪みやバランスの崩れ方に対応した姿勢の矯正を容易に行うことのできる座布団を提供することにある。
【課題を解決するための手段】
【０００８】
以下、上記目的を達成するための手段及びその作用効果について記載する。
請求項１〜７に記載の発明は、座面の一部を他の部位よりも肉厚な肉厚部とすることにより、着座したときの姿勢を矯正する座布団において、前記座面をその中央を中心に右大腿部、左大腿部、右臀部、左臀部にそれぞれ当接する４つの部位に区画し、前記４つの部位のうちの１つの部位を第１の肉厚部とするとともに、前記４つの部位のうち前記第１の肉厚部と隣接する部位にはこの部位を第２の肉厚部とする調整部材が脱着可能に設けられてなることをその要旨とする。
【０００９】
上記構成によれば、座面がその中央を中心に右大腿部、左大腿部、右臀部、左臀部に対応するように４つの部位に区画され、そのうちの１つの部位が第１の肉厚部とされる。このため、座布団の敷設方向を変更する、すなわち座面の中央を中心に座布団を回転させることにより、第１の肉厚部が当接する部分を右大腿部、左大腿部、右臀部、左臀部のうちから選択し、着座したときの姿勢を矯正する方向を調整することができる。また、同第１の肉厚部と隣接する部位にはこの部位を第２の肉厚部とする調整部材が脱着可能に設けられるため、同調整部材を取り付けることにより、第１の肉厚部と第２の肉厚部とを協働させ前記４つの部位のうち隣接する２つの部位を肉厚部とすることができる。このように調整部材を取り付けた状態にあっても座面の中央を中心に座布団を回転させることによって左右の両大腿部、右大腿部及び右臀部、左右の両臀部、左大腿部及び左臀部のうちから肉厚部が当接する部位を選択することができる。すなわち上記請求項１に記載の発明によれば、第１の肉厚部のみの態様で４パターン、調整部材を取り付けた態様で４パターン、合計８パターンの態様で姿勢を矯正する方向を選択することができるようになる。これにより、人それぞれ異なる骨格の歪みやバランスの崩れ方に対応した姿勢の矯正を容易に行うことができるようになる。
【００１０】
尚、座面を右大腿部、左大腿部、右臀部、左臀部に対応するように４つ部位に区画する上では、座面をその中央を中心に略９０°ずつ、４等分に区画することが望ましい。また、肉厚部の厚さは、着座したときの座り心地のよさ等を考慮し、手のひらの厚さ程度にすることが特に望ましい。
【００１１】
また、請求項１に記載の発明は、前記座面は、弾性部材からなる一対のクッション部材と、これら一対のクッション部材の間に介装されて前記第１の肉厚部を形成する固定部材とを積層することにより形成され、前記調整部材は、前記一対のクッション部材の間における前記固定部材と隣接する部位に脱着可能に介装される。
【００１２】
具体的には請求項１に記載の発明によるように、一対のクッション部材とこれら一対のクッション部材の間に介装されて第１の肉厚部を形成する固定部材とを積層することにより座面を形成する構成を採用することができる。こうした構成によれば、固定部材の厚みによって他の部位よりも厚くされた第１の肉厚部と、他の部位との段差が座面に直接現れなくなるため、着座したときの座り心地をよくすることができる。また、一対のクッション部材の間に調整部材を介装させることにより第２の肉厚部を形成することができるようになる。
【００１３】
請求項２に記載の発明は、請求項１に記載の座布団において、前記一対のクッション部材は、互いにその厚さが異なることをその要旨とする。
また、請求項３に記載の発明は、請求項１又は請求項２に記載の座布団において、前記一対のクッション部材は、互いに弾性係数の異なる部材によって形成されてなることをその要旨とする。
【００１４】
上記請求項２に記載の発明によれば、座面を構成する一対のクッション部材の厚さが異なるため、薄い方のクッション部材を上面にしてこの座布団を使用する場合には、一対のクッション部材の間に介装された固定部材及び調整部材の厚みによる段差が薄い方のクッション部材を介して座面に現れる。そのため、着座したときに肉厚部とその他の部位との厚みの違いが座面に現れやすくなる。一方、厚い方のクッション部材を上面にしてこの座布団を使用する場合には、厚い方のクッション部材を介してこれら固定部材及び調整部材の厚みによる段差が座面に現れる。そのため、着座したときに肉厚部とその他の部位との厚みの違いが薄い方のクッション部材を上面にして使用する場合よりも穏やかに座面に現れるようになる。すなわち、上記請求項２に記載の構成によれば、座布団の表裏を使い分けることによって上記８パターンの矯正方向に対してそれぞれ矯正の度合や座り心地、いわゆる使用感を選択することができるようになり、合計１６パターンの態様で矯正方法を調整することができるようになる。
【００１５】
また、請求項３に記載の発明によるように、一対のクッション部材を互いに弾性係数の異なる部材によって形成した場合にあっても、同様に座布団の表裏を使い分けることによって使用感を選択することができるようになる。具体的には、弾性係数の小さい、すなわち柔らかい方のクッション部材を上面にしてこの座布団を使用する場合には、一対のクッション部材の間に介装される固定部材及び調整部材の厚みによる段差が柔らかい方のクッション部材を介して座面に現れる。そのため、着座したときに肉厚部とその他の部位との厚みの違いが座面に現れやすくなる。一方、弾性係数の大きい、すなわち硬い方のクッション部材を上面にしてこの座布団を使用する場合には、これら固定部材及び調整部材の厚みによる段差が硬い方のクッション部材を介して座面に現れる。そのため、着座したときに肉厚部とその他の部位との厚みの違いが硬い方のクッション部材を上面にして敷設した場合よりも穏やかに座面に現れるようになる。
【００１６】
尚、請求項２に記載の構成と請求項３に記載の構成を組み合わせ、一対のクッション部材の厚さとその材質とをそれぞれ異ならせることによって座布団の表面と裏面との使用感を異ならせることもできる。この場合、一方の面を硬い部材によって厚く形成する一方、他方の面を柔らかい部材によって薄く形成することにより、座布団全体の厚さの増大を抑制しつつ、座布団の表裏の違いによる使用感の違いをはっきりとさせることができる。
【００１９】
また、請求項４に記載の発明は、座布団は袋状のカバーを更に備え、同カバーに入れた状態で使用されるとともに、前記カバーには、前記第１の肉厚部に対応する位置及び前記第２の肉厚部に対応する位置のうち少なくとも一方に目印が設けられている。
【００２０】
この座布団は、上記請求項４に記載の発明によるように、第１の肉厚部に対応する位置及び第２の肉厚部に対応する位置の少なくとも一方に目印が設けられたカバーを設け、このカバーに入れた状態で使用することが望ましい。こうしたカバーに入れた状態で使用することにより、視覚的に各肉厚部の位置を認識し、座布団の向きを判別することができるようになる。
【００２１】
尚、上記目印を第１の肉厚部に対応する位置及び第２の肉厚部に対応する位置のうちどちらか一方に設ける構成を採用することもできるが、前記第１の肉厚部に対応する位置及び前記第２の肉厚部に対応する位置の双方に目印を設けることがより望ましい。そして、双方の位置に目印を設ける場合には、互いに異なる目印を設け、視覚的に第１の肉厚部に対応する位置と第２の肉厚部に対応する位置とを判別することができるようにすることが更に望ましい。
【００２２】
また、ここでいう目印とは、色彩や模様、文字による表示又これらの組み合わせ、更にはタグやリボン等の装飾物を含み、視覚的に各肉厚部とその他の部位とを判別することのできるものであればよい。
請求項５に記載の発明は、請求項４に記載の座布団において、前記座面は、弾性部材からなるクッション部材によって形成されてなり、前記第１の肉厚部は、同クッション部材の表面又は裏面の一方に突出するように形成されてなるとともに、前記調整部材は、前記座面の表面又は裏面のうち前記第１の肉厚部が突出している面に脱着可能に設けられてなることをその要旨とする。
また、上記請求項５に記載の発明によるように座面の表面又は裏面の一方に突出するように第１の肉厚部を形成することにより座面を形成し、この第１の肉厚部が突出している面に調整部材を取り付けることにより第２の肉厚部を形成する構成を採用することもできる。こうした構成を採用した場合にあっては、第１の肉厚部が突出するように形成された面を上面にしてこの座布団を使用する場合には、第１の肉厚部及び第２の肉厚部の厚みによる段差が直接座面に現れるようになる。一方、他方の面を上面にしてこの座布団を使用する場合には、これら第１の肉厚部及び第２の肉厚部の厚みによる段差がクッション部材を介して座面に現れるようになる。すなわち、上記請求項５に記載の構成を採用した場合にあっても、座布団の表裏を使い分けることによって上記８パターンの矯正方向に対してそれぞれ使用感を選択することができるようになり、合計１６パターンの態様で矯正方法を調整することができるようになる。
【００２３】
請求項６に記載の発明は、請求項２又は請求項３に記載の座布団において、同座布団は、袋状のカバーを更に備え、同カバーに入れた状態で使用されるとともに、前記カバーは、前記座面の表面と裏面とでその意匠が異なることをその要旨とする。
【００２４】
請求項７に記載の発明は、請求項６に記載の座布団において、前記カバーには、前記第１の肉厚部に対応する位置及び前記第２の肉厚部に対応する位置のうち少なくとも一方に目印が設けられていることをその要旨とする。
【００２５】
上記請求項２〜３に記載の発明によるように、座布団の表裏を使い分けることによってその使用感を選択することのできる構成を採用する場合にあっては、上記請求項６に記載の発明によるように座布団の表面と裏面とでその意匠が異なるカバーを設け、このカバーに入れた状態で使用することが望ましい。このように表面と裏面とで意匠の異なるカバーに入れた状態で使用することにより、視覚的に座布団の表裏の違いを判別することができるようになる。尚、ここでいう意匠とは、色彩や模様、文字による表示又これらの組み合わせ、更にはタグやリボン等の装飾物を含み、視覚的に座布団の表裏の違いを判別することのできるものであればよい。
【００２６】
また、上記請求項７に記載の発明によるように、表裏の意匠を異ならせる構成と、第１の肉厚部に対応する位置及び第２の肉厚部に対応する位置の少なくとも一方に目印を設ける構成とを組み合わせて採用することもできる。こうした構成によれば、視覚的に座布団の表裏の違い及び座布団の向きを判別することができるようになる。
【発明の効果】
【００２７】
本発明の座布団によれば、人それぞれ異なる骨格の歪みやバランスの崩れ方に対応した姿勢の矯正を容易に行うことができる。
【発明を実施するための最良の形態】
【００２８】
以下、この発明にかかる座布団を具体化した一実施形態について、図１〜５を参照して説明する。まず、図１を参照して、この座布団の構成を説明する。図１は本実施形態にかかる座布団の構成を示す分解斜視図である。
【００２９】
図１の中央に示されるようにこの座布団の本体１０は、第１のクッション部材１１、第２のクッション部材１２、及び固定部材１３を積層することにより形成されている。第１のクッション部材１１、及び第２のクッション部材１２は、ウレタンフォーム等の弾性部材からなり、図１に示されるようにその長さＬ２と幅Ｗ２とがそれぞれ等しい略正方形の板状をなしている。尚、第１のクッション部材１１はその厚さＴ２が第２のクッション部材１２の厚さＴ１よりも大きな値に設定されている。
【００３０】
第１のクッション部材１１と第２のクッション部材１２との間には、長さＬ１、幅Ｗ１の略正方形の板状をなす固定部材１３が固定されている。この固定部材１３は、第１のクッション部材１１、及び第２のクッション部材１２よりも硬い、すなわち弾性係数の大きなウレタンフォーム等の弾性部材からなり、その長さＬ１及び幅Ｗ１はクッション部材１１，１２の長さＬ２及び幅Ｗ２の略半分の大きさに設定されている。また、固定部材１３の厚さＴ３は、第１のクッション部材１１の厚さＴ２及び第２のクッション部材１２の厚さＴ１よりも更に大きな値に設定されている。尚、固定部材１３の厚さＴ３は、座り心地を考慮して手のひら程度の厚さにすることが望ましい。
【００３１】
図１に示されるように固定部材１３は、第１のクッション部材１１をその中央から周方向に略９０°毎に、すなわち略４等分に区画した４つの部位のうちの図１における右下に位置する部位に接着されている。
【００３２】
第２のクッション部材１２は、第１のクッション部材１１に固定された固定部材１３を挟み込むように第１のクッション部材１１の上に接着されており、このように第１のクッション部材１１と、第２のクッション部材１２との間に固定部材１３が挟み込まれるように積層された状態で本体１０が形成されている。
【００３３】
尚、ここで、第１のクッション部材１１及び固定部材１３と、第２のクッション部材１２とを接着する際には、固定部材１３の上面、及び第１のクッション部材１１における上記４つに区画された部位のうち固定部材１３が接着された部位と隣接する部位の１つを除いた部位、すなわち図１に斜線で示される部位が接着される。これにより、第１のクッション部材１１と第２のクッション部材１２との間において固定部材１３と隣接する部位にあっては、第１のクッション部材１１と第２のクッション部材１２とが接着されず、各クッション部材１１，１２の間に隙間が形成されることとなる。
【００３４】
この隙間には、固定部材１３と同様の弾性部材によって形成されるとともに、図１に示されるように固定部材１３と同様の形状、すなわち長さＬ１、幅Ｗ１、厚さＴ３の略正方形の板状をなす調整部材２０が挿入される。
【００３５】
このように形成された本体１０は、図１に示されるように布を縫い合わせることによって形成された袋状のカバー３０に入れられる。カバー３０の一辺には、図１に示されるように本体１０を出し入れする開口３５が形成されるとともに、この開口３５にはスライダをスライドさせることにより開口３５を自在に開閉することのできるスライドファスナ３６が設けられている。
【００３６】
また、カバー３０は、図１における上側の面である表（おもて）面３１が白い布地で形成される一方、図１における下側の面である裏（うら）面３２が黒い布地で形成されている。また、表（おもて）面３１には本体１０が内包された状態において固定部材１３に対応する位置に黒い丸印３３がプリントされているとともに、調整部材２０が脱着される部位に対応する位置に黒い四角印３４がプリントされている。そして、裏（うら）面３２には、固定部材１３に対応する位置に白い丸印３７がプリントされているとともに、調整部材２０が脱着される部位に対応する位置に白い四角印３８がプリントされている。
【００３７】
図２はこのカバー３０に本体１０を入れた状態を示す斜視図である。上述のように形成されたこの座布団１００にあっては、図２に示されるように固定部材１３が挟み込まれた部位がその厚さＴ３の分だけ他の部位よりも厚みのある第１の肉厚部１１１になっている。
【００３８】
また、図２に示されるように第１の肉厚部１１１と隣接する部位には、第１のクッション部材１１と第２のクッション部材１２との間に調整部材２０が挿入可能な隙間１５が形成されている。図２に矢印で示されるようにこの隙間１５に調整部材２０を挿入することにより、第１の肉厚部１１１と隣接する部位を第１の肉厚部１１１と同様に他の部位よりも肉厚な第２の肉厚部１１２とすることができる。すなわち、本実施形態の座布団１００にあっては、調整部材２０を脱着することにより、他の部位よりも肉厚な肉厚部１１０の面積を変更することができ、座面の半分を他の部位よりも肉厚な肉厚部１１０が占める状態と、座面の４分の１（以下、１／４と記載する）を肉厚部１１０が占める状態とを適宜変更することができる。
【００３９】
以下、この座布団１００の使用態様を図３〜５を参照して詳しく説明する。
図３（ａ）〜（ｄ）は、調整部材２０を取り付けずに座布団１００を使用する場合、すなわち座面の１／４を肉厚部１１０が占める状態で使用する態様を示す模式図である。尚、この図にあっては、座布団１００を椅子等の座面に敷設して着座したときの様子を上方から見た状態を示している。
【００４０】
図３（ａ）〜（ｄ）に示されるように座面の１／４を肉厚部１１０が占める状態においてこの座布団１００を使用する場合には、座布団１００を回転させてその敷設方向を変化させることにより、右臀部、左臀部、右大腿部、左大腿部の中から肉厚部１１０を当接させる部分を選択することができる。
【００４１】
より具体的には、図３（ａ）に示されるように肉厚部１１０が右臀部に当接する状態から座布団１００を右回りに約９０°回転させて敷設することにより、図３（ｂ）に示されるように肉厚部１１０が当接する部分を左臀部に変更することができる。同様に座布団１００を更に右回りに約９０°回転させる度に、肉厚部１１０が当接する部分を左臀部から左大腿部へ、左大腿部から右大腿部へと変更することができる。すなわち図３（ａ）に示されるように肉厚部１１０が右臀部に当接する状態から座布団１００を右回りに約１８０°回転させて敷設することにより、図３（ｃ）に示されるように肉厚部１１０が当接する部分を左大腿部に変更することができる。また、同様に図３（ａ）に示されるように肉厚部１１０が右臀部に当接する状態から座布団１００を右回りに約２７０°回転させて敷設することにより、図３（ｄ）に示されるように肉厚部１１０が当接する部位を右大腿部に変更することができる。
【００４２】
このように調整部材２０を取り付けずに、第１の肉厚部１１１のみによって肉厚部１１０を形成し、肉厚部１１０が座面の１／４を占める状態において座布団１００を使用する場合には、肉厚部１１０が当接する部分を右臀部、左臀部、右大腿部、左大腿部の中から選択して姿勢を矯正する方向を調整することができる。
【００４３】
次に、隙間１５に調整部材２０を挿入し、第１の肉厚部１１１と第２の肉厚部１１２を協働させることにより座面の半分を肉厚部１１０が占める状態でこの座布団１００を使用する場合の態様について図４を参照して詳しく説明する。
【００４４】
図４（ａ）〜（ｄ）は、この座布団１００を座面の半分を肉厚部１１０が占める状態で使用する場合の態様を示す模式図である。尚、この図４も図３と同様にこの座布団１００を椅子等の座面に敷設して着座したときの様子を上方から見た状態を示している。
【００４５】
図４（ａ）〜（ｄ）に示されるように座面の半分を肉厚部１１０が占める状態においてこの座布団１００を使用する場合には、座布団１００を回転させてその敷設方向を変化させることにより、左右の両臀部、左大腿部及び左臀部、右大腿部及び右臀部、左右の両大腿部の中から肉厚部１１０を当接させる部分を選択することができる。
【００４６】
より具体的には、図４（ａ）に示されるように肉厚部１１０が左右の両臀部に当接する状態から座布団１００を右回りに約９０°回転させて敷設することにより、図４（ｂ）に示されるように肉厚部１１０が当接する部分を左大腿部及び左臀部に変更することができる。同様に座布団１００を更に右回りに約９０°回転させる度に、肉厚部１１０が当接する部分を左大腿部及び左臀部から左右の両大腿部へ、左右の両大腿部から右大腿部及び右臀部へと変更することができる。
【００４７】
すなわち図４（ａ）に示されるように肉厚部１１０が左右の両臀部に当接する状態から座布団１００を右回りに約１８０°回転させて敷設することにより、図４（ｃ）に示されるように肉厚部１１０が当接する部分を左右の両大腿部に変更することができる。また、同様に図４（ａ）に示されるように肉厚部１１０が左右の両臀部に当接する状態から座布団１００を右回りに約２７０°回転させて敷設することにより、図４（ｄ）に示されるように肉厚部１１０が当接する部位を右大腿部及び右臀部に変更することができる。
【００４８】
このように調整部材２０を取り付けて第１の肉厚部１１１及び第２の肉厚部１１２を協働させて肉厚部１１０を形成し、肉厚部１１０が座面の半分を占めるようにしてこの座布団１００を使用することにより、肉厚部１１０が当接する部分を左右の両臀部、左大腿部及び左臀部、右大腿部及び右臀部、左右の両大腿部の中から選択して姿勢を矯正する方向を調整することができる。
【００４９】
更に、この座布団１００を表（おもて）面３１、すなわち第２のクッション部材１２側を上面にして使用する場合と、裏（うら）面３２、すなわち第１のクッション部材１１側を上面にして使用する場合との違いについて図５を参照して説明する。
【００５０】
図５（ａ）はこの座布団１００を表（おもて）面３１を上面にして敷設したとき、図５（ｂ）はこの座布団１００を裏（うら）面３２を上面にして敷設したときの断面図をそれぞれ示している。
【００５１】
図５（ａ）に示されるように、表（おもて）面３１を上面にしてこの座布団１００を敷設した場合には、第２のクッション部材１２が上側になり、固定部材１３及び調整部材２０の厚みによって形成れる肉厚部１１０と他の部位との段差が第２のクッション部材１２を介して座面に現れるようになる。
【００５２】
一方、図５（ｂ）に示されるように裏（うら）面３２を上面にしてこの座布団１００を敷設した場合には、第１のクッション部材１１が上側になり、肉厚部１１０と他の部位との段差が、第１のクッション部材１１を介して座面に現れるようになる。
【００５３】
第１のクッション部材１１は、第２のクッション部材１２よりも厚いため、図５（ｂ）に示されるように裏（うら）面３２を上面にして、すなわち第１のクッション部材１１を介して肉厚部１１０の段差が座面に現れるようにこの座布団１００を敷設して着座した場合には、表（おもて）面３１を上面にして着座したときよりも肉厚部１１０と他の部位との段差が穏やかに座面に現れるようになる。要するにこの座布団１００にあっては、使用する際に表（おもて）面３１を上面にするか、裏（うら）面３２を上面にするかを選択することにより、肉厚部１１０とその他の部位との段差の大きさに起因する矯正の度合や座り心地、いわゆる使用感を選択することができる。
【００５４】
このように本実施形態の座布団１００によれば、その敷設方向を変更することにより第１の肉厚部１１１のみの態様で４パターン、調整部材２０を取り付けた態様で４パターンの合計８パターンの矯正方向を選択することができるとともに、座布団１００の表裏を使い分けることによってそれぞれのパターンにおける使用感を選択することができ、合計１６パターンの態様で矯正方法を調整することができる。
【００５５】
以上説明した本実施形態の座布団１００によれば、以下の効果が得られるようになる。
（１）座面がその中央を中心に右大腿部、左大腿部、右臀部、左臀部に対応するように４つの部位に区画され、そのうちの１つの部位が他の部位よりも肉厚な第１の肉厚部１１１とされている。このため、図３（ａ）〜（ｄ）に示されるように座布団１００の敷設方向を変更する、すなわち座面の中央を中心に座布団１００を回転させることにより、第１の肉厚部１１１が当接する部分を右大腿部、左大腿部、右臀部、左臀部の中から選択し、着座したときの姿勢を矯正する方向を調整することができる。また、第１の肉厚部１１１と隣接する部位にはこの部位を第２の肉厚部１１２とする調整部材２０が脱着可能に設けられるため、調整部材２０を取り付けることにより、第１の肉厚部１１１と第２の肉厚部１１２とを協働させ、前記４つの部位のうち隣接する２つの部位を肉厚部１１０とすることができる。このように調整部材２０を取り付けた状態にあっても、座面の中央を中心に座布団１００を回転させることにより、肉厚部１１０が当接する部位を左右の両大腿部、右大腿部及び右臀部、左右の両臀部、左大腿部及び左臀部の中から選択することができる。すなわち本実施形態の座布団１００によれば、第１の肉厚部１１１のみの態様で４パターン、調整部材２０を取り付けた態様で４パターン、合計８パターンの態様で姿勢を矯正する方向を選択することができるようになる。これにより、人それぞれ異なる骨格の歪みやバランスの崩れ方に対応した姿勢の矯正を容易に行うことができるようになる。
【００５６】
（２）一対のクッション部材１１，１２とこれら一対のクッション部材１１，１２の間に介装されて第１の肉厚部１１１を形成する固定部材１３とを積層することにより座面を形成する構成を採用している。こうした構成によれば、固定部材１３の厚みによって他の部位よりも厚くされた第１の肉厚部１１１と、他の部位との段差が座面に直接現れなくなるため、着座したときの座り心地をよくすることができる。また、一対のクッション部材１１，１２の間に調整部材２０を介装させることにより第２の肉厚部１１２を形成することができるようになる。
【００５７】
（３）座面を構成する一対のクッション部材１１，１２の厚さＴ１，Ｔ２がそれぞれ異なるため、薄い方の第２のクッション部材１２を上面にしてこの座布団１００を使用する場合には、固定部材１３及び調整部材２０の厚みによる段差が薄い方の第２のクッション部材１２を介して座面に現れる。そのため、着座したときに肉厚部１１０とその他の部位との厚みの違いが座面に現れやすくなる。一方、厚い方の第１のクッション部材１１を上面にしてこの座布団１００を使用する場合には、厚い方の第１のクッション部材１１を介してこれら固定部材１３及び調整部材２０の厚みによる段差が座面に現れる。そのため、着座したときに肉厚部１１０とその他の部位との厚みの違いが薄い方の第２のクッション部材１２を上面にする場合よりも穏やかに座面に現れるようになる。すなわち、座布団１００の表裏を使い分けることによって矯正の度合や座り心地、いわゆる使用感を選択することができるようになる。
【００５８】
（４）この座布団１００は、第１の肉厚部１１１に対応する位置に丸印３３，３７が、第２の肉厚部１１２に対応する位置に四角印３４，３８が設けられたカバー３０を備えている。こうしたカバー３０に入れた状態で使用することにより、視覚的に各肉厚部１１１，１１２の位置を認識し、座布団１００の向きを判別することができる。
【００５９】
（５）カバー３０は、表（おもて）面３１が白い布地で形成されるとともに、裏（うら）面３２が黒い布地で形成されており、表（おもて）面３１と裏（うら）面３２でその意匠が異なる。このように座布団１００を表（おもて）面３１と裏（うら）面３２とで意匠の異なるカバー３０に入れた状態で使用することにより、視覚的に座布団１００の表裏の違いを判別することができるようになる。
【００６０】
尚、上記実施形態は、これを適宜変更した以下の形態にて実施することもできる。
・上記実施形態では、第１のクッション部材１１の厚さＴ２と、第２のクッション部材１２の厚さＴ１とを異ならせることにより座布団１００の表裏によって使用感を異ならせる構成を示した。こうした構成に替えて、各クッション部材１１，１２を弾性係数の異なる弾性部材によって形成し、座布団１００の表裏によって使用感を異ならせる構成を採用することもできる。こうした構成によれば、弾性係数の小さい、すなわち柔らかい方のクッション部材を上面にして座布団１００を使用する場合には、一対のクッション部材１１，１２の間に介装される固定部材１３及び調整部材２０の厚みによる段差が柔らかい方のクッション部材を介して座面に現れる。そのため、着座したときに肉厚部１１０とその他の部位との厚みの違いが座面に現れやすくなる。一方、弾性係数の大きい、すなわち硬い方のクッション部材を上面にして座布団１００を使用する場合には、これら固定部材１３及び調整部材２０の厚みによる段差が硬い方のクッション部材を介して座面に現れる。そのため、着座したときに肉厚部１１０とその他の部位との厚みの違いが硬い方のクッション部材を上面にする場合よりも穏やかに座面に現れるようになる。
【００６１】
・また、各クッション部材１１，１２の硬さを異ならせるとともに、その厚さを異ならせる構成を採用することもできる。その場合には、一方のクッション部材を硬い部材によって厚く形成する一方、他方のクッション部材を柔らかい部材によって薄く形成することにより、座布団１００全体の厚さの増大を抑制しつつ、座布団１００の表裏の違いによる使用感の違いをよりはっきりとさせることができる。
【００６２】
・一方、第１のクッション部材１１と第２のクッション部材１２とを同じ材料で形成し、同一の厚さにしてもよい。こうした構成を採用した場合には、座布団１００の表裏を使い分けることにより使用感を選択することはできなくなるものの、少なくとも調整部材２０を脱着することによって肉厚部１１０の面積を変更するとともに、座布団１００を回転させて矯正の方向を調整することができる。
【００６３】
・上記実施形態では固定部材１３及び調整部材２０の厚さＴ３を手のひら程度の厚さにしたが、これは適宜変更することができる。
・固定部材１３及び調整部材２０の厚さＴ３に設定し、その厚さを同一にした構成を示したが、固定部材１３と調整部材２０の厚さは、若干異なっていてもよい。例えば、厚さの異なる複数種類の調整部材２０を備え、好みに応じて第２の肉厚部１１２の厚みを変更することのできる構成を採用してもよい。しかし、座布団１００を回転させることにより、肉厚部１１０と他の部位との厚さの違いによって着座したときの姿勢を矯正する方向を所定の方向に決定する上では、固定部材１３と調整部材２０との厚さが同一に設定されており、肉厚部１１０の厚さが均一になっていることが望ましい。
【００６４】
・第１のクッション部材１１と第２のクッション部材１２との間に形成された隙間１５に調整部材２０を差し込むことにより、本体１０に調整部材２０を取り付ける構成を示したが、図１に二点鎖線で示されるようにクッション部材１１，１２及び調整部材２０に固定用の留め具として面ファスナ４０等を設けてもよい。
【００６５】
・第１のクッション部材１１と、第２のクッション部材１２とで固定部材１３を挟むように積層することにより本体１０を形成する構成を示したが、一方のクッション部材を省略してもよい。すなわちクッション部材の表面又は裏面の一方に突出するように固定部材１３を固定し、第１の肉厚部１１１を形成し、この第１の肉厚部１１１が突出している面に調整部材２０を取り付けることにより第２の肉厚部１１２を形成する構成を採用することもできる。尚、このように一方のクッション部材を省略する場合には、上述のように調整部材２０を保持する面ファスナ４０等を設けることが望ましい。
【００６６】
こうした構成を採用した場合にあっては、第１の肉厚部１１１が突出するように形成された面を上面にしてこの座布団１００を使用する場合には、第１の肉厚部１１１及び第２の肉厚部１１２の厚みによる段差が直接座面に現れるようになる。一方、他方の面を上面にしてこの座布団１００を使用する場合には、これら第１の肉厚部１１１及び第２の肉厚部１１２の厚みによる段差がクッション部材の平坦な面を介して座面に現れるようになる。すなわち、このような構成を採用した場合にあっても、座布団１００の表裏を使い分けることによって使用感を選択することができるようになり、上記実施形態と同様に合計１６パターンの態様で矯正方法を調整することができる。
【００６７】
・上記実施形態では、カバー３０に丸印３３，３７と四角印３４，３８とを設け、第１の肉厚部１１１、第２の肉厚部１１２をそれぞれ示す目印とする構成を示したが、こうした目印の構成は適宜変更することができ、その他の模様を付ける、カバー３０の生地を異ならせる、色を異ならせる、文字によって表示する、リボンやビーズ等の装飾物を付ける等、視覚的に各肉厚部１１１，１１２を判別することのできるものであればよい。
【００６８】
・第１の肉厚部１１１に対応する位置と、第２の肉厚部１１２に対応する位置とでそれぞれ異なる目印を付ける構成を示したが、これらを同じ目印にした場合であっても、肉厚部１１０の位置を判別することができる。
【００６９】
・第１の肉厚部１１１に対応する位置と、第２の肉厚部１１２に対応する位置のどちらか一方に目印を設ける構成を採用してもよい。尚、この場合、常に肉厚になっている第１の肉厚部１１１に対応する位置に目印を設ける構成を採用することが望ましい。
【００７０】
・また、こうした目印を設けない構成を採用してもよい。
・上記実施形態では、カバー３０の表（おもて）面３１を白い布地で形成する一方、裏（うら）面３２を黒い布地で形成することにより、座布団１００の表（おもて）面３１と裏（うら）面３２との意匠を異ならせる構成を示したが、その他、表（おもて）面３１と裏（うら）面３２とで異なる模様を付ける、カバー３０の材質を異ならせる、文字によって表示する、リボンやビーズ等の装飾物を付ける等、視覚的に座布団１００の表（おもて）面３１と裏（うら）面３２とを判別することのできるものであればよい。
【００７１】
・尚、カバー３０の表（おもて）面３１と裏（うら）面３２との意匠を同じにしてもよい。
・また、カバー３０を設けずに、本体１０及び調整部材２０によって座布団１００を構成し、カバー３０を付けずに座布団１００を使用してもよい。
【００７２】
・上記実施形態では、座面をその中央を中心に略９０°毎に４等分に区画し、区画された４つの部位の１つに固定部材１３を固定する構成を示したが、座面を必ずしもその中央を中心に４等分に区画しなくてもよい。しかし、座面の中央を中心に９０°毎に４等分に区画する構成を採用すれば、区画された部位が右臀部、左臀部、右大腿部、左大腿部にそれぞれ対応するようになり、座布団１００を９０°回転させることにより、肉厚部１１０が当接する位置を適切に変更することができる。
【００７３】
・上記実施形態では、この座布団１００を椅子等の座面に敷設して使用する態様について説明したが、その他、この座布団１００を床に直接敷設してその上に着座する態様や、自動車のシートに敷設して使用することもできる。
【００７４】
・上記実施形態では、第１のクッション部材１１及び第２のクッション部材１２が略正方形状をなし、座布団１００が略正方形状の座面を有する構成を示したが、座布団１００の座面形状は適宜変更することができる。例えば、図６に示されるように座面が円形の座布団２００にあっては、固定部材２１３及び調整部材２２０の形状を円を４等分したような扇形状にすることにより、上記実施形態と同様の効果を得ることができる。また、図７に示されるように座布団３００を正方形の四隅を丸めたような形状にする場合には、それに対応して図７に示されるように固定部材３１３及び調整部材３２０の形状を適宜変更すればよい。
【００７５】
・また、長方形等のように座面の各片の長さが異なっていてもよい。しかしながら、座布団の向きを変更した場合に方向を変えてもその座り心地等の使用感を同等にするためには、円形や、正方形等の正多角形状のように座布団の向きを変更した場合でもその座面形状が変化しない形状を採用することが望ましい。
【図面の簡単な説明】
【００７６】
【図１】この発明の一実施形態にかかる座布団の分解斜視図。
【図２】同実施形態にかかる座布団の斜視図。
【図３】（ａ）〜（ｄ）は肉厚部が座面の１／４を占める状態で同実施形態にかかる座布団を使用する場合の態様を示す模式図。
【図４】（ａ）〜（ｄ）は肉厚部が座面の半分を占める状態で同実施形態にかかる座布団を使用する場合の態様を示す模式図。
【図５】（ａ）、（ｂ）は同実施形態にかかる座布団の断面図。
【図６】同実施形態にかかる座布団の変更例を示す模式図。
【図７】同実施形態にかかる座布団の変更例を示す模式図。
【図８】従来の座布団の斜視図。
【図９】従来の座布団の使用態様を示す断面図。
【符号の説明】
【００７７】
１０…本体、１１…第１のクッション部材、１２…第２のクッション部材、１３…固定部材、２０…調整部材、３０…カバー、３１…表（おもて）面、３２…裏（うら）面、３３…丸印、３４…四角印、３５…開口部、３６…スライドファスナ、３７…丸印、３８…四角印、４０…面ファスナ、１００…座布団、１１０…肉厚部、１１１…第１の肉厚部、１１２…第２の肉厚部。
【図１】
0005049735.tif 000002
【図２】
0005049735.tif 000003
【図３】
0005049735.tif 000004
【図４】
0005049735.tif 000005
【図５】
0005049735.tif 000006
【図６】
0005049735.tif 000007
【図７】
0005049735.tif 000008
【図８】
0005049735.tif 000009
【図９】
0005049735.tif 000010